【事件の表示】
　平成１年特許願第５９６６７号「熱転写記録方法」拒絶査定に対する審判事件（平成２年９月２１日出願公開、特開平２−２３９９６１）について、次のとおり審決する。
【結論】
　本件審判の請求は、成り立たない。
【理由】
１．手続の経緯・請求項１に係る発明
　本願は、平成１年３月１４日の出願であって、その請求項１に係る発明は、平成１０年２月９日付け及び平成１０年５月６日付け手続補正書により補正された明細書及び図面の記載からみて、その特許請求の範囲に記載された次のとおりのものである。
　「１．発熱体を有する感熱ラインヘッドと、記録紙ロールから繰り出される記録紙と、面順次に多色化されシートロールから繰り出されるインクシートと、該記録紙と該インクシートを介して該感熱ラインヘッドに対向するプラテンローラと、該プラテンローラに対して該感熱ラインヘッドを接触／乖離させる感熱ラインヘッド移動手段と、該プラテンローラに対して記録紙搬送方向上流に配置した第１の記録紙搬送手段と搬送方向下流側に配置した第２の記録紙搬送手段とからなる記録紙搬送手段と、インクシート搬送手段と、該第２の記録紙搬送手段よりも記録紙搬送方向下流側に配置された記録紙カット手段と、第１，第２の巻回ローラとを有し、該感熱ラインヘッドでの印画時及び該プラテンローラからの微小乖離時、該第１，第２の巻回ローラにより、該インクシートを該記録紙に重ねて該プラテンローラに巻き付けるようにした熱転写記録装置の記録方法において、
　少なくとも該第１の記録紙搬送手段と該プラテンローラとにより、該記録紙を該記録紙ロールから繰り出して該プリテンローラに対して記録紙搬送方向下流側に印画する長さ分搬送する第１の搬送工程と、該第１の搬送工程で繰り出された該記録紙を該インクシートとともに該プラテンローラに圧接して該印画する長さ分に巻き戻しながら、該感熱ラインヘッドを該インクシート側から当接させて印画を行なう第２の搬送工程とを交互に繰り返し、
　該第２の搬送工程が行なわれる毎に、該インクシートの異なる色について印画を行ない、
　該インクシートの全ての色について１回ずつの印画が終了すると、該記録紙の印画終端部分を該記録紙カット手段でカットして印画部分を分離することを特徴とする熱転写記録方法。」
２．引用例の記載事項
　これに対して、原査定の拒絶の理由に引用した特開平１−４２２６９号公報（特開昭６４−４２２６９号公報、以下、引用例１という。）には、記録用紙に文字や画像等の記録を行なう記録装置に関し、下記の事項が図面とともに記載されている。
「第１図は、本発明の一実施例である記録装置の概略構成図である。２１はライン状に並べられた複数の発熱素子を有し、入力される記録信号に応じて発熱するサーマルヘッドであり、イエロー、マゼンタ、シアンの３色のインクが順次塗布されロール状に巻回されたインクシート３１（以下インクシートと呼ぶ）と、ロール状に巻回された記録紙４１を介して、外面が弾性体で被覆されたプラテン４２に圧接している。またサーマルヘッド２１はその上部にある押圧解除板２２に取り付けられた押圧子２３とヘッド押圧バネ２４によってプラテン４２側へ付勢されている。また前記押圧解除板２２はヘッド回転軸２０を中心として回動可能でありヘッド押圧バネ２４の付勢力に抗して回動した状態においてはサーマルヘッド２１とは離間される。また押圧子２３をサーマルヘッド２１から離すための押圧子解除アーム２５と、サーマルヘッド２１をプラテン４２から離すためのヘッド解除アーム２６がカムアームシャフト２７に取り付けられており、プラテン４２の下部に配置されている。押圧子解除アーム２６を動かすカムが一体化されたヘッド駆動カム２８によって押圧子解除アーム２５とヘッド解除アーム２６はカムアームシャフト２７を始点として動かされる。
　記録紙４１はキャプスタンローラー４３と、ピンチローラー４４によって搬送される。記録紙４１の搬送は金属製のキャプスタンローラー４３に支配されるのでカラープリンタにおいて色ずれを防止するのに有効である。４５は第２のキャプスタンローラー、４６は第２のピンチローラーであり、正逆転可能である。」（第２頁右下欄４行乃至第３頁左上欄１４行）
　「プラテン４２とキャプスタンローラー４３の間に設けられた剥離ローラー４７は記録後のインクシート３１と記録紙４１の剥離を行い、プラテン４２と第２のキャプスタンローラー４５との間に設けられたシートガイドローラー４８は、インクシートのガイドをする。剥離ローラー４７と、インクシートガイドローラー４８は、ローラーホルダー４９によって、サーマルヘッド２１に取り付けられ、サーマルヘッド２１と共にヘッド回転軸２０を支点としてプラテン４２に対して上下に動く。インクシート３１は、供給リール３２から供給され巻き取りリール３３によって巻き取られる。第３図（ａ），（ｂ）は、インクシート搬送部のギヤ及びプーリーの概略構成図である。図において５１はインクシート搬送モーターである。５２は巻き取りプーリー、５３は供給プーリーであり、この両プーリーはタイミングベルト５４を介してインクシート搬送モーター５１によって回動される。」（第４頁左上欄４行乃至右上欄２行）
「次に動作について説明する。
　第４図は第１図の記録部分の拡大図であるが、この第４図において、第１色目のインクシート３１（例えばイエロー）と記録紙４１をサーマルヘッド２１とプラテン４２との間に記録に必要な圧力で挟んだ状態で、キャプスタンローラー４３を矢印Ｉ方向に回動すると、プラテン４２は記録紙４１との摩擦力によって矢印Ｍ方向に回転する。このように搬送されつつある記録紙４１に対して記録信号により発熱されたサーマルヘッド２１によりインクシート３１上のインクを転写してゆき、記録紙４１の中腹部より先端部４１ａへ向けて画像を形成するのである。・・・中略・・・
第５図は一画面分の記録が終了した状態の図である。第５図に示すように、記録紙４１の先端部４１ａが剥離ローラー４７を越えてインクシートとの剥離が完了すると、第６図に示すようにインクシート搬送モーターおよび記録紙搬送モーターに余分な負荷を与えないようにするために押圧子解除アーム２５が押圧解除板２２を押し上げ、押圧子２３がサーマルヘッド２１から離れ、プラテン４２にかかる荷重はサーマルヘッド２１とその保持部材の自重のみとなる。以後この状態を弱圧状態と呼ぶものとし、また、サーマルヘッド２１がプラテン４２に圧接している状態を強圧状態と呼ぶものとする。この動作すなわちサーマルヘッドの押圧解除動作が完了するとキャプスタン４３を矢印Ｊ方向に、プラテン４２を矢印Ｎ方向に逆送キャプスタンローラー４５を矢印Ｐ方向に回転させ記録紙４を記録時の搬送方向とは逆の方向に搬送する。この逆送状態は第７図に示す通りである。・・・中略・・・
このためこのインクシートが記録紙４１を逆方向に搬送させるときのガイドの役割を果たすこととなる。そして記録紙４はインクシート３１にそってプラテン４２の上部へ案内されサーマルヘッド２１とプラテンとの接触位置すなわち記録位置迄来るとプラテンとインクシート３１の間に挟みこまれ第２のキャプスタンローラー４５の方へ向かう。記録紙４１が第２のキャプスタンローラー４５のところまで搬送されると、第７図に示すように、サーマルヘッド２１とインクシート３１は、ヘッド解除アーム２６によってプラテン４２から離れた状態となり、記録紙４１は、さらに搬送され、第１色目の記録開始位置がサーマルヘッドの発熱位置にきたとき、キャプスタンローラー４３の回転が止まり記録紙４１の搬送が停止される。・・・中略・・・
この間、インクシート３１は記録時と同様の動作で巻き取りリール３３に第２色目がサーマルヘッド２１の発熱位置に来る迄巻き取られて停止している。この後サーマルヘッド２１が再びプラテン４２に圧接されて、第４図の状態となり、第２色目（例えばマゼンタ）の記録が行なわれる。この一連の動作が順次、第３色目（例えばシアン）まで行なわれ、カラー画像・文字等が得られ、その後記録紙をカッター５０で所定の長さに切断して排出される。」（第４頁左下欄４行乃至第５頁右下欄２０行）
　また、第１図からは、カッター５０はキャプスタンローラー４３とピンチローラー４４の配設位置よりも記録紙搬送方向上流側に配設されていることがみてとれる。
　同じく引用した、特開昭６１−１７２４８０号公報（以下、引用例２という。）には、パソコン，ＣＡＤ等のディスプレイのハードコピーを出力する熱転写記録装置に関し、下記の事項が図面とともに記載されている。
　「記録紙１０１は少くともプリント信号が入力された時点でカッタ１１１により記録紙１０１の先端が所定位置にある。その後、記録紙１１１は搬送ローラ１０２とピンチローラ１０４により図中矢印Ａ方向に一画面分あるいは用紙サイズに相当する所定量だけ一旦送り出される。例えば用紙サイズがＡ４（長さＬ）の場合サーマルヘッド１０９とカッタ１１１までの距離を１とすると概略（Ｌ−１）の長さ送り出される。・・・中略・・・
この場合記録紙１０１が所定量一旦送り出されるとサーマルヘッド１０９が搬送ローラ１０２に押圧され、転写紙１０５の１色目に対応する印字信号が入力され順次図中矢印Ｂ方向に転写印字されながら搬送される。１色目の印字が終了するとサーマルヘッド１０９は搬送ローラ１０２と離間する。この時転写紙１０５は２色目が印字位置にきており、記録紙１０１は搬送ローラ１０２により再び印字先頭位置まで図中矢印Ａ方向に送り出される。送り出されると１色目と同様に２色目，３色目が印字される。３色目が印字されると、記録紙１０１はカッタ１１１の位置で所定用紙サイズになるまで図中矢印Ａ方向に送り出され、カッタ１１１で切断される。」（第２頁左下欄１８行乃至第３頁左上欄３行）
　また、第１図からは、カッタ１１１は搬送ローラ１０２及びピンチローラ１０４の配設位置よりも記録紙搬送方向下流側に配設されていることがみてとれる。
３．請求項１に係る発明と引用例１に記載された発明との対比
　上記引用例１に記載された技術事項からみて、引用例１に記載された発明の「サーマルヘッド２１」、「記録紙４１」、「インクシート３１」、「プラテン４２」、「ヘッド回転軸２０，押圧解除板２２乃至ヘッド駆動カム２８」、「キャプスタンローラ４３とピンチローラー４４」、「第２のキャプスタンローラー４５と第２のピンチローラー４６」、「キャプスタンローラー４３乃至第２のピンチローラ４６」、「インクシート搬送モーター５１乃至タイミングベルト５４」、「カッター５０」、「剥離ローラー４７とシートガイドローラー４８」、「記録装置」、「記録開始位置への記録紙４１の搬送」、「一画面分の記録が終了するまでの記録紙４１の搬送」及び「記録装置による記録紙へ画像・文字を記録すること」は、各々請求項１に係る発明の「感熱ラインヘッド」、「記録紙」、「インクシート」、「プラテンローラ」、「感熱ラインヘッド移動手段」、「第１の記録紙搬送手段」、「第２の記録紙搬送手段」、「記録紙搬送手段」、「インクシート搬送手段」、「記録紙カット手段」、「第１，第２の巻回ローラ」、「熱転写記録装置」、「第１の搬送工程」、「第２の搬送工程」及び「熱転写記録方法」に相当するものであり、また、引用例１に記載された発明でも、サーマルヘッド２１の強圧状態（印画時に相当）及び弱圧状態（微小乖離時に相当）の時、剥離ローラー４７とシートガイドローラー４８により、インクシート３１を記録紙４１に重ねてプラテン４２に巻き付けて搬送（第４図乃至第６図参照）し、記録紙４１に第３色目まで記録される（インクシートの全ての色について１回ずつの印画が終了に相当）と記録紙をカッター５０で所定の長さに切断（記録紙の印画終端部分を記録紙カット手段でカットして印画部分を分離することに相当）して排出するものであるから、請求項１に係る発明の用語を使用して両者を対比すると、両者は、「発熱体を有する感熱ラインヘッドと、記録紙ロールから繰り出される記録紙と、面順次に多色化されシートロールから繰り出されるインクシートと、該記録紙と該インクシートを介して該感熱ラインヘッドに対向するプラテンローラと、該プラテンローラに対して該感熱ラインヘッドを接触／乖離させる感熱ラインヘッド移動手段と、該プラテンローラに対して記録紙搬送方向上流に配置した第１の記録紙搬送手段と搬送方向下流側に配置した第２の記録紙搬送手段とからなる記録紙搬送手段と、インクシート搬送手段と、記録紙カット手段と、第１，第２の巻回ローラとを有し、該感熱ラインヘッドでの印画時及び該プラテンローラからの微小乖離時、該第１，第２の巻回ローラにより、該インクシートを該記録紙に重ねて該プラテンローラに巻き付けるようにした熱転写記録装置の記録方法において、該第１の記録紙搬送手段と該プラテンローラとにより、該記録紙を該記録紙ロールから繰り出して該プリテンローラに対して記録紙搬送方向下流側に印画する長さ分搬送する第１の搬送工程と、該第１の搬送工程で繰り出された該記録紙を該インクシートとともに該プラテンローラに圧接して該印画する長さ分に巻き戻しながら、該感熱ラインヘッドを該インクシ一ト側から当接させて印画を行なう第２の搬送工程とを交互に繰り返し、該第２の搬送工程が行なわれる毎に、該インクシートの異なる色について印画を行ない、該インクシートの全ての色について１回ずつの印画が終了すると、該記録紙の印画終端部分を該記録紙カット手段でカットして印画部分を分離する熱転写記録方法。」で一致しており、下記の点で相違している。
　相違点；請求項１に係る発明では、記録紙カット手段が第２の記録紙搬送手段よりも記録紙搬送方向下流側に配置されており、該記録紙カット手段で記録紙の印画終端部分をカットして印画部分を分離するのに対して、引用例１に記載された発明では、カッター５０の位置については体的に記載されていないが、第１図からみてキャプスタンローラー４３とピンチローラー４４（第１の記録紙搬送手段）の配設位置よりも記録紙搬送方向上流側に配設されており、該カッター５０で記録紙４１を所定の長さに切断（記録紙の印画終端部分をカットして印画部分を分離することに相当）している点。
４．上記相違点に対する当審の判断
　上記相違点について検討するに、引用例１には、「その後記録紙をカッター５０で所定の長さに切断して排出される。」と記載されているだけで、第１図にカッター５０がキャプスタンローラー４３とピンチローラー４４の配設位置よりも記録紙搬送方向上流側に配設することがみてとれるが、カッターの配設位置については、第１図の位置に限ることなく、記録紙への記録が終了した後、記録紙を所定の長さに切断するように記録紙の搬送経路の適宜個所に設ければ十分であることは、当業者であれば容易に理解することができる程度の技術事項である。そして、引用例２には、熱転写記録装置において、カッタ１１１（記録紙カット手段）を搬送ローラ１０２とピンチローラ１０４（記録紙搬送手段）よりも記録紙搬送方向下流側に配設することが記載されているから、請求項１に係る発明のように記録紙カット手段を第２の記録紙搬送手段よりも記録紙搬送方向下流側に配置して、該記録紙カット手段で記録紙の印画終端部分をカットして印画部分を分離することは、当業者が必要に応じて容易に想到することができる程度の技術事項と認める。
　そして、請求項１に係る発明の効果も、引用例１及び２に記載された発明から当業者であれば予測することができる程度のものであって、格別のものとはいえない。
５．むすび
　したがって、請求項１に係る発明は、引用例１及び２に記載された発明に基づいて当業者が容易に発明をすることができたものであるから、特許法第２９条第２項の規定により特許を受けることができない。
　よって、結論のとおり審決する。